(57)【特許請求の範囲】
【請求項１】
ボルト挿通孔を有した台座部と、該台座部の一方の端部より下方に延びた脚部と、該脚部の下端より前記台座部の下方側に延びた挟持片とを有した略コ字形の挟持部材を一対備え、前記台座部どうしを重合し上下方向にボルト、ナットで固定することで、折板屋根の頂部より突出した突出部を前記挟持片どうしで挟持して、該突出部に固定されるようになっている屋根上物品取付具の取付方法であって、
前記台座部は、前記ボルト挿通孔より前記台座部の側端に通じる切欠溝を有し、該切欠溝を介して、前記脚部が延出された上段部と、下段部とを有した形状とされ、該下段部の先端にＬ字状に吊下したボルト落下防止部が連設形成されており、
前記上段部の下面、前記下段部の上面の一方には凸部が形成され、他方には凹部が形成されており、
前記ボルトを一方の前記挟持部材の前記台座部の前記切欠溝に側端より挿入し前記ボルト挿通孔までスライド移動させ、該ボルトのボルト頭を前記台座部と前記ボルト落下防止部とによりできた空間に配した後、両方の前記挟持部材の前記切欠溝どうしの相互差し込みにて前記台座部を交差状に重合し両方の前記挟持部材を合体させる組み付け構造となっており、
前記ボルト、ナットを螺着させたときに、一方の前記台座部の前記凸部と、他方の前記台座部の前記凹部が嵌合することを特徴とする屋根上物品取付具の取付方法。
【請求項２】
請求項１において、
前記凸部は前記上段部の下面に形成されている一方、前記凹部は前記ボルト挿通孔が前記下段部側に延びるように形成された延出孔により構成されている、屋根上物品取付具の取付方法。
【請求項３】
請求項１において、
前記凸部は前記下段部の上面に形成されている一方、前記凹部は前記ボルト挿通孔が前記上段部側に延びるように形成された延出孔により構成されている、屋根上物品取付具の取付方法。
【発明の詳細な説明】
【技術分野】
【０００１】
本発明は、折板屋根の頂部より突出した突出部を挟持片どうしで挟持することで、その突出部に固定されるようにした屋根上物品取付具の取付方法に関する。
【背景技術】
【０００２】
この種の屋根上物品取付具として、たとえば特許文献１に開示されているように、一対の挟持部材を組み合わせてなるものがある。
【０００３】
図１０に示すように、この種の屋根上物品取付具１００は、一対の挟持部材１１０、１１０の台座部１１１、１１１どうしを重合し、ボルト１０１、ナット１０２で固定することで、一対の挟持片１１２、１１２が折板屋根の頂部（不図示）より突出したハゼ部（不図示）などの突出部を両側より挟持する構成となっている。なお、図１０中の１０４は平ワッシャー、１０５はばねワッシャーである。
【０００４】
この屋根上物品取付具１００は、ボルト１０１と突出部の接触を回避するために、ボルト１０１は台座部１１１のボルト挿通孔（不図示）に対し下方より装着され、上方に突き出たボルト１０１の軸部１０１ａにナット１０２止めする構成となっている。
【０００５】
このように、ボルト１０１を上方に向けて装着する構造であるため、ナット１０２をボルト１０１に取り付ける前段階においてボルト１０１が落下しないように、落下防止プレート１０３（図１０（ｂ）の拡大斜視図参照）を取り付けることが通例となっている。
【先行技術文献】
【特許文献】
【０００６】
【特許文献１】特開２０００−１２０２３５号公報
【発明の概要】
【発明が解決しようとする課題】
【０００７】
しかしながら、落下防止プレート１０３はプラスチック製の薄く小さな小部材であるため、紛失しやすい。また、屋根上への取り付けに際し必須の部材ではないので、屋根上物品取付具１００を構成する一式の部材として管理されないこともあり、必要なときに在庫なしとなるおそれがある。また、プラスチック製の薄い部材であるため、取り付けの際に損傷することもある。両挟持部材１１０、１１０をいったん合体させた後に分離する場合には、落下防止プレート１０３の取り外しはしにくく、取り外しの際にも割れなどの破損が生じるおそれもある。
【０００８】
本発明は、このような事情を考慮して提案されたもので、その目的は、紛失しやすい落下防止プレートなどの小部材を使用することなくボルトの落下を防止できる屋根上物品取付具を提供することにある。また、屋根上物品取付具を屋根の突出部に取り付けたのちに、ずれや外れが発生しにくい屋根上物品取付具の取付方法を提供することも本発明の目的に含まれる。
【課題を解決するための手段】
【０００９】
上記目的を達成するために、請求項１に記載の屋根上物品取付具の取付方法は、ボルト挿通孔を有した台座部と、台座部の一方の端部より下方に延びた脚部と、脚部の下端より台座部の下方側に延びた挟持片とを有した略コ字形の挟持部材を一対備え、台座部どうしを重合し上下方向にボルト、ナットで固定することで、折板屋根の頂部より突出した突出部を挟持片どうしで挟持して、突出部に固定されるようになっている屋根上物品取付具の取付方法であって、台座部は、ボルト挿通孔より台座部の側端に通じる切欠溝を有し、切欠溝を介して、脚部が延出された上段部と、下段部とを有した形状とされ、下段部の先端にＬ字状に吊下したボルト落下防止部が連設形成されており、上段部の下面、下段部の上面の一方には凸部が形成され、他方には凹部が形成されており、ボルトを一方の挟持部材の台座部の切欠溝に側端より挿入し前記ボルト挿通孔までスライド移動させ、ボルトのボルト頭を台座部とボルト落下防止部とによりできた空間に配した後、両方の挟持部材の切欠溝どうしの相互差し込みにて台座部を交差状に重合し両方の挟持部材を合体させる組み付け構造となっており、ボルト、ナットを螺着させたときに、一方の台座部の凸部と、他方の台座部の凹部が嵌合することを特徴とする。
【００１０】
請求項２に記載の屋根上物品取付具の取付方法は、凸部は上段部の下面に形成されている一方、凹部は前記ボルト挿通孔が下段部側に延びるように形成された延出孔により構成されている。
【００１１】
請求項３に記載の屋根上物品取付具の取付方法は、凸部は下段部の上面に形成されている一方、凹部はボルト挿通孔が上段部側に延びるように形成された延出孔により構成されている。
【発明の効果】
【００１２】
請求項１に記載の屋根上物品取付具の取付方法によれば、上述の構成となっているため、挟持部材どうしの結合作業の際に、落下防止プレートなどの紛失しやすい小部材を使用することなくボルトの落下を防止することができる。
【００１３】
また、この屋根上物品取付具の取付方法においては、ボルトを一方の挟持部材の台座部の切欠溝に側端より挿入して取り付けるようになっているため、その切欠溝の溝幅寸法はボルトの軸部の径よりも大きくしなければならず、緩みが発生しやすくなるおそれがある。しかしながら、屋根上物品取付具を屋根の突出部に取り付けた際には凸部と凹部が嵌合し、両挟持部材どうしがしっかりと固定するので、両部材の緩みが発生するおそれはほとんどない。
【００１４】
請求項２に記載の屋根上物品取付具の取付方法によれば、上述の構成となっているため、凹部をボルト挿通孔が下段部に延びた延出孔で構成できるので、凹部を別加工する必要がなく、製造を簡易にできる。
【００１５】
請求項３に記載の屋根上物品取付具の取付方法によれば、上述の構成となっているため、凹部をボルト挿通孔が上段部に延びた延出孔で構成できるので、凹部を別加工する必要がなく、製造を簡易にできる。
【図面の簡単な説明】
【００１６】
【図１】本発明の一実施形態に係る屋根上物品取付具の分解斜視図である。
【図２】屋根上物品取付具を構成する一対の挟持部材の結合手順を示す斜視図である。
【図３】（ａ）は両挟持部材の合体前の台座部の平面図、（ｂ）は両挟持部材の合体後の台座部の平面図である。
【図４】屋根上物品取付具の屋根への取り付け手順（１／３）を示す縦断面図である。
【図５】屋根上物品取付具の屋根への取り付け手順（２／３）を示す縦断面図である。
【図６】屋根上物品取付具の屋根への取り付け手順（３／３）（取り付けられた状態）を示す正面図である。
【図７】本発明の他の実施形態に係る屋根上物品取付具の分解斜視図である。
【図８】屋根上物品取付具の屋根への取り付け状態を示す正面図である。
【図９】本発明のさらに他の実施形態に係る屋根上物品取付具の分解斜視図である。
【図１０】（ａ）（ｂ）は、従来の屋根上物品取付具の説明図である。
【発明を実施するための形態】
【００１７】
以下に、本発明の実施の形態について、添付図面をもとに説明する。まず、全実施形態に共通する基本構成について説明する。
【００１８】
屋根上物品取付具１は、ボルト挿通孔１１ａを有した台座部１１と、台座部１１の一方の端部より下方に延びた脚部１３と、脚部１３の下端より台座部１１の下方側に延びた挟持片１４とを有した挟持部材１０を一対備えている。屋根上物品取付具１は、台座部１１、１１どうしを重合しボルト３１、ナット３２で固定することで、折板屋根４０の頂部４２より突出した突出部（ハゼ部４５、ボルト対４７）を挟持片１４どうしで挟持して、突出部４５、４７に固定されるようになっている。
【００１９】
台座部１１は、ボルト挿通孔１１ａより台座部１１の側端に通じる切欠溝１１ｂを有し、切欠溝１１ｂを介して、脚部１３が延出された上段部１１ｄと、下段部１１ｅとを有した形状とされ、下段部１１ｅの先端にＬ字状に吊下したボルト落下防止部１２が連設形成されている。
【００２０】
上段部１１ｄの下面、下段部１１ｅの上面の一方には凸部１１ｆが形成され、他方には凹部１１ｇが形成されている。ボルト３１を一方の挟持部材１０の台座部１１の切欠溝１１ｂに側端より挿入しボルト挿通孔１１ａまでスライド移動させ、ボルト３１のボルト頭３１ｃを台座部１１とボルト落下防止部１２とによりできた空間に配した後、両方の挟持部材１０、１０の切欠溝１１ｂ、１１ｂどうしの相互差し込みにて台座部１１、１１を交差状に重合し両方の挟持部材１０、１０を合体させる組み付け構造となっている。ボルト３１、ナット３２を螺着させたときには、一方の台座部１１の凸部１１ｆと、他方の台座部１１の凹部１１ｇが嵌合するようになっている。
【００２１】
このような構成となっているため、挟持部材１０、１０どうしの結合作業の際に、落下防止プレートなどの小部材を使用することなくボルト３１の落下を防止することができる。また、この屋根上物品取付具１は、ボルト３１を一方の挟持部材１０の台座部１１の切欠溝１１ｂに側端より挿入して取り付けるようになっているため、その切欠溝１１ｂの溝幅寸法はボルト３１の軸部３１ｂの径よりも大きくしなければならず、緩みが発生しやすくなるおそれがあるが、屋根の突出部４５、４７に取り付けた際には凸部１１ｆと凹部１１ｇが嵌合し、両挟持部材１０、１０がしっかりと固定されるので、両部材の緩みが発生するおそれはほとんどない。
【００２２】
ついで、各実施形態について説明する。まず、図１〜図６に示した実施形態に係る屋根上物品取付具１の構成、構造について説明する。
【００２３】
この屋根上物品取付具１は、図４〜図６に示すように、折板屋根４０の上に取り付けられる取付具である。
【００２４】
この折板屋根４０は、山部４１と谷部４３とが交互に連続する屋根であって、複数の屋根材を山部４１の頂部４２においてハゼ連結してなる屋根である。なお、４９は折板屋根４０の形状を下方より保持する保持部材である。
【００２５】
屋根上物品取付具１は、折板屋根４０の頂部４２の上方に突出したハゼ部４５よりなる突出部に取り付け固定されるようになっている。
【００２６】
屋根上物品取付具１は、上述したように、主たる構成部材として一対の挟持部材１０、１０を備え、これらがボルト３１、ナット３２の螺着により固定されるようになっている。
【００２７】
本実施形態のものは、一対の挟持部材１０、１０が同一形状とされ、挟持部材１０、１０のそれぞれが、平面視で方形状の台座部１１と、その一方の端部（１辺縁部）より下方に延びた脚部１３と、脚部１３の下端より台座部１１とほぼ平行に、台座部１１の下方側に延びた挟持片１４とを備えている。
【００２８】
台座部１１は、脚部１３を設けた辺縁部の対辺となる辺縁部に、下方にＬ字状に折曲された折曲片を備えている。この折曲片が上述したボルト落下防止部１２を構成している。台座部１１の脚部１３側の辺縁部と折曲片側の辺縁部とのほぼ中央には、それら辺縁に平行であり傾斜面を有した段差部１１ｃが形成され、その段差部１１ｃの両側には、折曲片を延設したほうの下段部１１ｅと、脚部１３側の上段部１１ｄとを備えている。
【００２９】
段差部１１ｃのほぼ中央には上段部１１ｄ、下段部１１ｅに跨るようにボルト挿通孔１１ａが開設されており、そのボルト挿通孔１１ａから段差部１１ｃに沿って、脚部１３側の辺縁部に隣接する側端（辺縁部）のうちの一方の側端の外方に連通する切欠溝１１ｂが形成されている。この切欠溝１１ｂは、上述したように、両挟持部材１０、１０を結合するためのボルト３１の軸部３１ｂを側端より挿入して取り付けできるようになっているため、その溝幅はボルト３１の軸部３１ｂの径よりも大とされる。また、ボルト挿通孔１１ａの上段部１１ｄ側の縁部は、切欠溝１１ｂに沿った直線形状とされる。
【００３０】
また、台座部１１の下段部１１ｅにはボルト挿通孔１１ａより延びた延出孔が形成されている。この延出孔が上述した凹部１１ｇを構成している。また、上述した凸部１１ｆは上段部１１ｄの下面に下方に突出するように形成されている。
【００３１】
上述したように、ボルト落下防止部１２は、台座部１１の下段部１１ｅの先端にＬ字状に吊下してなり、その横片１２ａは台座部１１の下段部１１ｅにほぼ平行に延びている。なお、この横片１２ａの正面視における寸法は、図６に示すように、屋根上物品取付具１を屋根上に取り付けた際に、両挟持部材１０、１０の横片１２ａ、１２ａ間に隙間ができる程度であればよい。より詳しくは、図６の状態で横片１２ａ、１２ａの先端どうしが接触せず、かつ隙間にボルト頭３１ｃが通らないものであればよい。また、縦片１２ｂの寸法は、両挟持部材１０、１０を固定するボルト３１のボルト頭３１ｃを収容でき、かつ横片１２ａがハゼ部４５との接触を回避できる程度の寸法であればよい。
【００３２】
脚部１３は、やや外側に開くように下方に延びている（図１参照）。また、挟持片１４は台座部１１の下方において、台座部１１の中ほどの下方位置まで延び、その先端には上方に突出した押圧部１４ａが形成されている（図１参照）。
【００３３】
このような構造の挟持部材１０、１０を２つ組み合わせることで挟持具Ａが構成される。挟持具Ａは、一対の挟着部材１０、１０を、挟持片１４、１４が開閉自在となるように支点連結することで形成される。より具体的には、図２に示すように、一方の挟持部材１０に、ボルト３１を切欠溝１１ｂにスライド挿入させてボルト挿通孔１１ａに取り付けておき、両挟持部材１０、１０の台座部１１、１１の切欠溝１１ｂ、１１ｂどうしを相互に差し込み、台座部１１、１１を交差状に重合することで、挟持具Ａが形成される。図２に示すように、Ｌ字形状のボルト落下防止部１２が形成されているため、ボルト３１は１つの挟持部材１０に装着された状態でも落下しにくい。
【００３４】
図３（ａ）（ｂ）に示すように、両挟持部材１０、１０を、切欠溝１１ｂ、１１ｂどうしを相互に差し込んで合体していくと、台座部１１、１１の中央では両ボルト挿通孔１１ａ、１１ａが重なり合い四角孔が形成される。一方の挟持部材１０にボルト３１を取り付けた状態でこの合体操作をすると、この四角孔にボルト３１の軸部３１ｂが配されるようになる。この四角孔は、後述するようにボルト３１の根角部３１ａが嵌まり込むようになっている。
【００３５】
このように２つの挟持部材１０、１０を組み合わせ連結した状態では、図４に示すように、切欠溝１１ｂ、１１ｂの部位が支点となって、ハサミのごとく開閉動作をさせることができる。
【００３６】
この状態では両挟持部材１０、１０の台座部１１、１１の下段部１１ｅ、１１ｅはいずれもが下側に配され、２つのボルト挿通孔１１ａ、１１ａにより形成された重合ボルト貫通孔は、上述したようにボルト３１の根角部３１ａが嵌まり込むような四角孔に形成される。
【００３７】
ボルト３１、ナット３２を螺着させると、両台座部１１、１１が重合、固定され、両挟持部材１０、１０は固定した状態に連結される。なお、連結のためのその他の部材として、平ワッシャー３４、ばねワッシャー３５が用いられる。また、ボルト３１としては、図例に示したような根角ボルトを用いることが望ましい。
【００３８】
挟持具Ａは、このように両挟持部材１０、１０が連結、固定された状態で、折板屋根４０のハゼ部４５に固定される。以下、この挟持具Ａの折板屋根４０への取付手順について、図４〜図６にもとづいて説明する。
【００３９】
まず、図４に示すように、一対の挟持部材１０、１０を図２の手順で連結して挟持具Ａを形成し、挟持具Ａが開閉自在となる状態にしておく。図４に示した挟持具Ａにおいては、ボルト３１は重合したボルト挿通孔１１ａ、１１ａに挿通されているが、ナット３２で仮止めはされておらず、ボルト３１は下方にずり落ちてボルト落下防止部１２の横片１２ａによって下方より支持された状態にある。
【００４０】
このように、ボルト３１はボルト落下防止部１２で支持されているので、プラスチック製の落下防止プレートなどを用いなくても、ボルト３１が抜け落ちることはなく、作業をしやすくできる。特に、一対の挟持部材１０、１０と、ボルト３１とを用いて図４の状態にするまでの間に、ボルト３１が滑り落ちるようなことがないので便利である。また、その後のナット３２止め作業もボルト３１落ちを気にしなくてもよく、作業がしやすい。また、ナット３２止めせずに、ボルト３１と両挟持部材１０、１０とを仮結合した状態で保管、梱包しても、ボルト３１外れが発生するおそれはない。
【００４１】
こうして挟持部材１０、１０を仮結合した後、図５に示すように、上方に突出したボルト３１の軸部３１ｂに、平ワッシャー３４、ばねワッシャー３５を取り付け、ナット３２を螺合し仮止めする。
【００４２】
つぎに、図５に示すように、挟持具Ａを、挟持片１４、１４間が開いた状態で、折板屋根４０の頂部４２の上に、両挟持片１４、１４でハゼ部４５を両側より挟み込むように載せ置く。
【００４３】
そして、その状態でボルト３１を上方に引っ張り、根角部３１ａをボルト貫通孔（四角孔）の開口に嵌め込み、ボルト３１が回り止めされた状態でナット３２を締め付けていく。そうすると、支点連結された両挟持部材１０、１０の両台座部１１、１１が平行に近づくように重合していき、その重合とともに、両挟持部材１０、１０の各凸部１１ｆ、１１ｆが対応する相手側の挟持部材１０、１０の凹部１１ｇ、１１ｇ（延出孔）に嵌合する。
【００４４】
それと同時に、両脚部１３、１３が閉じていくとともに挟持片１４、１４間が狭まっていき、その結果、各挟持片１４、１４はハゼ部４５の起立基部４５ａの外面に徐々に押し付けられていく。なお、ナット３２で締め付ける際には、根角部３１ａが開口から外れないように、台座部１１、１１と折曲片１２、１２とで囲まれた空間に指またはドライバーなどの工具を挿入してボルト頭３１ｃを下方より支持しておくことが望ましい。
【００４５】
ナット３２を螺合していくことで両脚部１３、１３がさらに締め付けられ、各挟持片１４、１４の押圧部１４ａ、１４ａの横方向の外面がハゼ部４５の起立基部４５ａの外面にさらに押し付けられる。
【００４６】
そして、ナット３２をボルト３１にしっかりと螺着することで、重合した両台座部１１、１１どうしが上下方向にしっかりと重合、固定され、それと同時に、両挟持片１４、１４はその先端がハゼ部４５の起立基部４５ａを両側より押圧した状態に固定される（図６参照）。
【００４７】
こうして、屋根上物品取付具１は折板屋根４０のハゼ部４５に取り付け固定される。そして、台座部１１の上方に突出したボルト３１の軸部３１ｂには、太陽光パネル取り付け用のレール（不図示）や、種々の屋根上物品（不図示）の取り付けが可能となる。
【００４８】
つぎに、図７および図８にもとづいて、折板屋根４０の頂部４２より突出したボルト体４７に取り付ける屋根上物品取付具１について説明する。
【００４９】
この折板屋根４０は、隣接する両屋根材を山部４１で重ね、ボルト体４７で連結固定した重ね式の連設構造となっている。山部４１の頂部４２にはボルト体４７の軸部４７ａが突出し、そのボルト体４７が座金付きナット４８で固定してある。
【００５０】
屋根上物品取付具１は、このようなボルト体４７の軸部４７ａで構成された突出部に対応した構造となっている。具体的には、挟持部材１０の挟持片１４の形状が図１のものとは異なる形状となっている。なお、挟持部材１０の挟持片１４以外の部位については図１のものと同形状、同構造であるため、それらの形状、構造については説明を割愛する。また、この屋根上物品取付具１の取り付け手順についても図１のものと概ね同様であるため、折板屋根４０に取り付けられた状態のみを図示し、取り付け手順の図示および説明は割愛する。
【００５１】
挟持部材１０の挟持片１４は、先端に向けてやや上方に傾斜している。これは、挟持片１４、１４が座金付きナット４８との接触を回避し、確実にボルト体４７の軸部４７ａを挟持できるようにするためである。
【００５２】
挟持片１４の先端の中央には、ボルト体４７の軸部４７ａを係止するための係止凹部１４ｂが形成されている。係止凹部１４ｂの底部には、やや上方に切り起こされた係止爪１４ｃが形成されている。挟持具Ａは、挟持部材１０、１０の締め付けによって、両挟持片１４、１４の両係止凹部１４ｂ、１４ｂがボルト体４７の軸部４７ａを挟持するとともに、係止爪１４ｃ、１４ｃが軸部４７ａのねじ溝に係止することで、ボルト体４７に固定されるようになっている。なお、ボルト体４７の軸部４７ａに対する固定構造は、係止凹部１４ｂによるものには限られず、種々の構造を採用することができる。
【００５３】
ついで、さらに他の実施形態に係る屋根上物品取付具について、図９をもとに説明する。
【００５４】
この屋根上物品取付具１は、図１のものと同様に折板屋根４０のハゼ部４５に取り付けられるものである。この折板屋根４０については図１に示したものと同様であるため、説明を割愛する。
【００５５】
この屋根上物品取付具１は、一対の挟持部材１０、１０を含んでなるが、図１のものとは、台座部１１、１１の形状が異なる。具体的には、凸部１１ｆと凹部１１ｇの形成部位が図１のものとは異なる。
【００５６】
すなわち、この挟持部材１０においては、凸部１１ｆは下段部１１ｅの上面に形成されており、凹部１１ｇはボルト挿通孔１１ａが上段部１１ｄ側に延びるように形成された延出孔により構成されている。つまり、図示は省略してあるが、凸部１１ｆと凹部１１ｇ（延出孔）が嵌合すれば凸部１１ｆの先端は上面側の延出孔により露出する。
【００５７】
図９の屋根上物品取付具１の効果は図１のものとほぼ同様であり、その説明は割愛する。
【符号の説明】
【００５８】
１          屋根上物品取付具
Ａ          挟持具
１０        挟持部材
１１        台座部
１１ａ      ボルト挿通孔
１１ｂ      切欠溝
１１ｃ      段差部
１１ｄ      上段部
１１ｅ      下段部
１１ｆ      凸部
１１ｇ      凹部（延出孔）
１２        ボルト落下防止部（折曲片）
１３        脚部
１４        挟持片
３１        ボルト
３１ａ      根角部
３１ｂ      軸部
３１ｃ      ボルト頭
３２        ナット
４０        折板屋根
４２        頂部
４５        ハゼ部（突出部）
４７        ボルト体（突出部）
【要約】
【課題】落下防止プレートなどの小物部材を使用することなくボルトの落下を防止できる屋根上物品取付具を提供する。
【解決手段】屋根上物品取付具１は、ボルト挿通孔１１ａを有した台座部１１と、台座部１１の一方の端部より下方に延びた脚部１３と、脚部１３の下端より台座部１１の下方側に延びた挟持片１４とを有した挟持部材１０を一対備え、台座部１１、１１どうしを重合しボルト３１、ナット３２で固定することで、折板屋根４０の頂部４２より突出した突出部４５を挟持片１４、１４どうしで挟持して、突出部４５に固定されるようになっている。ボルト３１はボルト挿通孔１１ａに下方より挿通されるようになっており、挟持部材１０には、台座部１１の下方で挟持片１４の上方にボルト落下防止部１２が形成されている。
【選択図】図１【図１】
0005923635.tif 000002
【図２】
0005923635.tif 000003
【図３】
0005923635.tif 000004
【図４】
0005923635.tif 000005
【図５】
0005923635.tif 000006
【図６】
0005923635.tif 000007
【図７】
0005923635.tif 000008
【図８】
0005923635.tif 000009
【図９】
0005923635.tif 000010
【図１０】
0005923635.tif 000011